(57)【要約】【課題】携帯端末用無線ＬＡＮの待ち受け時間の消費電力を削減すること。【解決手段】無線ＬＡＮの各キャリア周波数帯域１０１、１１１を同時にキャリアセンスできるように、キャリアセンスを行う周波数帯域１０３、１１３をキャリアセンスを行う回数が最小となるようにキャリアセンスを行う周波数と帯域を設定することにより、無線ＬＡＮのキャリアセンスの回数が減り、無線ＬＡＮの待ち受け時の消費電力を削減することができることとなる。【選択図】図１
2005175568.tif 000002
【特許請求の範囲】
【請求項１】
受信する複数チャネルを受信フィルタの帯域内に前記複数チャネルの各チャネル信号の一部または全部を同時にキャリアセンスすることにより、検索する前記複数チャネル数より少ない回数で受信信号の有無を判断することを特徴とする携帯端末用無線ＬＡＮ装置。
【請求項２】
前記複数チャネルを同時にキャリアセンスした結果を用いて、キャリアを検出した場合に、前記検出したキャリアから推測される無線ＬＡＮのチャネルを特定し、前記特定されたチャネルの無線ＬＡＮ基地局からのビーコンのみを確認することを特徴とする請求項１記載の携帯端末用無線ＬＡＮ装置。
【請求項３】
他無線システムとの複合機の無線ＬＡＮのエリア確認を行う場合に、請求項２記載のキャリアセンスおよび接続基地局確認を行うことを特徴とする携帯端末用無線ＬＡＮ装置。
【請求項４】
他無線システムとの複合では、無線ＬＡＮが通信中に前記他無線システムの報知情報を確認するために前記無線ＬＡＮの通信タイミングを前記報知情報の確認タイミングとずらすことを特徴とする携帯端末用無線ＬＡＮ装置。
【請求項５】
他無線システムとの複合では、前記他無線システムの報知情報の確認するために必要なタイミングに、無線ＬＡＮが通信するために送信することをソフトまたはハード制御により阻止することを特徴とする携帯端末用無線ＬＡＮ装置。
【請求項６】
他無線システムとの複合では、前記他無線システムからの着呼があり、通信を開始する段階で、無線ＬＡＮがサービスエリアであるかどうかを判断し、前記無線ＬＡＮがサービスエリアである場合は、前記他無線システムの通信を開始する前に通信ルートを前記無線ＬＡＮ経由に切り換えることを特徴とする携帯端末用無線ＬＡＮ装置。
【請求項７】
前記他無線システムが通信を開始する前に、通信ルートを切り換えまでの切り換え時間値が予め設定された前記切り換え時間値より長い場合には、前記他無線システムでまず通信を開始するが、前記無線ＬＡＮの接続引き続き実行され、前記無線ＬＡＮと接続できた時点で切り換え要請を前記他無線システムへ通知することを特徴とする請求項６記載の携帯端末用無線ＬＡＮ装置。
【請求項８】
前記切り換え時間値を前記他無線システムの発呼側がデータとして着呼側へ送り、前記発呼側から送られてきた前記切り換え時間値を前記通信ルートの切り換え時間値として設定することを特徴とする請求項７記載の携帯端末用無線ＬＡＮ装置。
【請求項９】
無線ＬＡＮのサービスエリアであることを表示する方法として、手動で前記無線ＬＡＮのエリアを確認する未確認表示と、キャリアセンスのみで無線ＬＡＮ周波数が利用されていることを示す可能性表示と、無線ＬＡＮ基地局の報知情報を確認して接続できることを確認してサービスエリア表示の３種類でエリア表示を行うことを特徴とする携帯端末用無線ＬＡＮ装置。
【発明の詳細な説明】
【技術分野】
【０００１】
本発明は無線ＬＡＮ（Ｌｏｃａｌ  Ａｒｅａ  Ｎｅｔｗｏｒｋ）システムなどの無線通信システムで使用される無線通信装置に係わり、特に携帯電話やＰＤＡなどの携帯用の低消費電力化が要望される無線通信装置に関するものである。
【背景技術】
【０００２】
近年、携帯電話の普及によりいつでもどこでもだれとでも通信が出来るようになり、デジタルカメラやムービーカメラを搭載した携帯端末が普及し始めた。そのため、伝送されるデータ量は肥大化してきている。
【０００３】
一方、喫茶店や空港などでは無線ＬＡＮを利用したホットスポットサービスが行われており、安価に大容量のデータを通信できる。しかし、サービスエリアが狭いため、移動しながらの接続は困難である。そのため、サービスエリアを探す必要があるのが実情である。
【０００４】
従来の携帯端末用無線ＬＡＮ装置としては、接続できる基地局を探すためのビーコンを常に探していつでも接続できるように準備するが、消費電力が課題となる。その課題の解決方法として、手動でサービスエリアの確認を行う方法や無変調キャリアを利用したキャリア判断で、低消費電力送受信装置があった（例えば、特許文献１参照）。
【特許文献１】特開平８−１３９６３８号公報（第７頁、図１）
【発明の開示】
【発明が解決しようとする課題】
【０００５】
しかしながら、前記従来の構成では、送信側および受信側の両方が対応しないと実現できないので、既存の基地局と接続する場合には活用できないという課題を有していた。
【０００６】
本発明は、前記従来の課題を解決するもので、無線ＬＡＮサービスエリアの検索をより低消費電力で実現した携帯端末用無線ＬＡＮ装置を提供することを目的とする。
【課題を解決するための手段】
【０００７】
前記従来の課題を解決するために、本発明の携帯端末用無線ＬＡＮ装置は、複数のチャネルを一回のキャリアセンスで検出する機能を有し、検索を行うキャリア数より少ない回数のキャリアセンスでキャリアの有無の判断を行う。
【０００８】
本構成によって、キャリアセンスの時間を短縮することができるため、消費電力を削減することができる。
【発明の効果】
【０００９】
本発明の携帯端末用無線ＬＡＮ装置によれば、無線ＬＡＮがサービスエリアであるかどうかを確認するための消費電力を削減することができる。
【発明を実施するための最良の形態】
【００１０】
以下本発明の実施の形態について、図面を参照しながら説明する。
【００１１】
（実施の形態１）
図１は、本発明の実施の形態１における携帯端末用無線ＬＡＮ装置のチャネル帯域とキャリアセンス帯域図である。
【００１２】
図１において、１０１、１１１は無線ＬＡＮのキャリア周波数帯域であり、１０２、１１２はキャリアの周波数のチャネルであり、１０３、１１３はキャリアセンスを行う受信機の周波数帯域であり、複数のチャネルを同時にキャリアセンスできるように、キャリアセンスを行う周波数帯域で構成している。キャリアセンスを行う回数が最小となるようにキャリアセンスを行う周波数と帯域を設定する。
【００１３】
かかる構成によれば、複数のチャネルを同時にキャリアセンスすることにより、キャリアセンスの回数を最低限に減らすことができることとなり消費電力を減らすことができる。
【００１４】
なお、本実施の形態において、図１では、キャリアセンスを行う周波数帯域をキャリア周波数帯域と同じとしたが、異なる帯域としても良い。
【００１５】
（実施の形態２）
図２は、本発明の実施の形態２の携帯端末用無線ＬＡＮ装置のキャリアセンス帯域とキャリアセンスできるチャネル周波数図である。図２において、図１と同じ構成要素については同じ符号を用い、説明を省略する。
【００１６】
図２において、２０３、２０４、２１３、２１４はキャリアセンスを行う受信機の周波数帯域であり、２０５は２０３のキャリアセンスでキャリアが確認できるチャネルであり、２０６は２０４のキャリアセンスでキャリアが確認できるチャネルであり、２１５は２１３のキャリアセンスでキャリアが確認できるチャネルであり、２１６は２１４のキャリアセンスでキャリアが確認できるチャネルである。
【００１７】
かかる構成によれば、キャリアセンスされた周波数から割り出されるチャネルのみを基地局接続のための処理を行うことにより、基地局からの報知情報の解読処理や基地局とのコネクション処理を全チャネルに対して行う必要が無いため、消費電力を減らすことができる。
【００１８】
なお、本実施の形態において、図２（ａ）では、７ｃｈは２０３と２０４の両方のキャリアセンスでセンシングされることを考えれば、基地局との接続処理を行う場合に７ｃｈから実施することにより、基地局を早く検索することが出来る。
【００１９】
（実施の形態３）
図３は、本発明の実施の形態３の携帯端末用無線ＬＡＮ装置の他無線システムと無線ＬＡＮとの複合機のブロック図である。
【００２０】
図３において、３０１は無線ＬＡＮとそれ以外の無線システムたとえば携帯電話等を組み合わせた複合機であり、３０２は無線ＬＡＮであり、３０３は無線システムＡであり、３０４は無線システムＢであり、３０５は３０１の複合機の３０２、３０３、３０４の各無線システムを総合的に制御するＣＰＵである。
【００２１】
かかる構成によれば、無線ＬＡＮ部の消費電力を減らすことが出来ることにより、他無線システムとの複合機の消費電力を減らすことができる。
【００２２】
なお、本実施の形態において、図３では、他無線システムを２システムとしたが、他無線システムの複合数はいくつでもかまわない。
【００２３】
（実施の形態４）
図４は、本発明の実施の形態４の携帯端末用無線ＬＡＮ装置の他無線システムとの通信タイミング図である。
【００２４】
図４において、４０１は時間を横軸にして無線ＬＡＮの通信タイミングを表したものであり、４０２は時間を横軸にして他無線システム報知情報の受信タイミングを表したものである。他無線システムの報知情報の受信タイミング４０２に重ならないように無線ＬＡＮの通信タイミング４０１を制御する。
【００２５】
かかる構成によれば、無線ＬＡＮが通信中でも他無線システムの報知情報を受信する時に無線ＬＡＮの通信が無いことにより、他無線システムの報知情報を受信できる。
【００２６】
なお、本実施の形態において、図４では、無線ＬＡＮの通信タイミングとしたが、通信タイミングを無線ＬＡＮの送信タイミングと限定することもできる。
【００２７】
（実施の形態５）
図５は、本発明の実施の形態５の携帯端末用無線ＬＡＮ装置の他無線システムとの通信タイミング図である。
【００２８】
図５において、５０１は時間を横軸にして無線ＬＡＮの通信タイミングを表したものであり、５０２は時間を横軸にして他無線システム報知情報の受信タイミングを表したものであり、５０３は無線ＬＡＮが通信中と他無線システムの報知情報が重複したタイミングである。他無線システムの報知情報の受信タイミングと重複したタイミング５０３には強制的に無線ＬＡＮの通信を中止するようにハードまたはソフトで制御する。
【００２９】
かかる構成によれば、無線ＬＡＮが通信中でも他無線システムの報知情報を受信する時に無線ＬＡＮの通信を中止することにより、他無線システムの報知情報を受信できる。
【００３０】
なお、本実施の形態において、図５では、無線ＬＡＮの通信タイミングとしたが、通信タイミングを無線ＬＡＮの送信タイミングに限定することもできる。
【００３１】
（実施の形態６）
図６は、本発明の実施の形態６の携帯端末用無線ＬＡＮ装置と他無線システムとの通信フロー図である。
【００３２】
図６において、６０１は無線ＬＡＮと他無線システムの複合端末であり、６０２は無線ＬＡＮの基地局側であり、６０３は他無線システムの基地局側である。他無線システム６０３からの着呼があった場合に、より広帯域通信が可能な複合端末６０１を利用できるかどうかを確認し、複合端末６０１との通信が可能な場合は複合端末６０１経由に変更して、通信を継続する。ただし、無線ＬＡＮで通信が不可能な場合は他無線システム６０３で通信を継続する。
【００３３】
かかる構成によれば、他無線システムの代わりに無線ＬＡＮを優先的に利用できるようにする事により、他無線システムの混雑の緩和と広帯域通信が実現できる。
【００３４】
（実施の形態７）
図７は、本発明の実施の形態７の携帯端末用無線ＬＡＮ装置と他無線システムとの通信フロー図である。図７において、図６と同じ構成要素については同じ符号を用い、説明を省略する。
【００３５】
図７において、７０４は他無線システム６０３からの着呼から無線ＬＡＮ６０２との接続を確認する間の切り替え時間値である。他無線システム６０３からの着呼があった場合に、より広帯域通信が可能な複合端末６０１を利用できるかどうかを確認するが、その確認するための時間を制限する切り替え時間値７０４を設け、無線ＬＡＮ６０２の接続確認に切り替え時間値７０４を越えた場合は、着呼があった他無線システム６０３と通信を開始する。その後、複合端末６０１との通信が成立した場合は、他無線システムへ無線ＬＡＮ６０２へ通信経路を切り替える旨を伝え、無線ＬＡＮ６０２への切り替えを可能とする。ただし、無線ＬＡＮで通信が不可能な場合は他無線システム６０３で通信を継続する。
【００３６】
かかる構成によれば、他無線システムからの着呼に対して設定された切り替え時間値７０４により通信開始を開始することにより、通信開始時間を遅らせることなく通信ができる。
【００３７】
（実施の形態８）
図８は、本発明の実施の形態８の携帯端末用無線ＬＡＮ装置と他無線システムとの通信フロー図である。図８において、図６と同じ構成要素については同じ符号を用い、説明を省略する。
【００３８】
図８において、８０４は他無線システム６０３からの着呼から無線ＬＡＮ６０２との接続を確認する間の切り替え時間値を他無線システムからの信号に含まれる切り替え時間値であり、８０５は他無線システムからの切り替え時間値８０４を含む複合端末６０１への着呼信号である。本発明の実施の形態７で示した切り替え時間値７０４に着呼があった他無線システムからの着呼信号に含まれる切り替え時間値８０４を利用する。
【００３９】
かかる構成によれば、他無線システムの指定した切り替え時間値８０４を利用する事により、複数の他無線システムが混在する場合でも各他無線システムに応じた切り替え時間値の設定ができる。
【００４０】
（実施の形態９）
（表１）は、本発明の実施の形態９の携帯端末用無線ＬＡＮ装置の無線ＬＡＮの状態確認と表示の関係表である。
【００４１】
【表１】
2005175568.tif 000003
【００４２】
（表１）において、請求項１記載のキャリアセンスで検索した場合、該当する周波数帯に信号があることを確認することにより、サービスエリアである可能性があることを表示する。また、無線ＬＡＮの基地局のビーコンを受信し、接続確認が終了することにより、サービスエリアであることを表示する。上記どちらの確認を行うかは手動または自動で設定可能である。
【００４３】
かかる構成によれば、無線ＬＡＮのエリア表示をサービスエリアの圏外、可能性あり、通信可能の３段階で表示を行うことにより、携帯端末の消費電力を最低限に押さえると共に、サービスエリア確認を表示できる。
【００４４】
なお、本実施の形態において、通信可能と表示する場合、受信電波の強度で示すこともできる。
【産業上の利用可能性】
【００４５】
本発明にかかる携帯端末用無線ＬＡＮ装置は、複数のチャネルを同時にキャリアセンスし、他無線システムとの切り替えを有し、低消費電力化を実現する携帯電話の無線ＬＡＮとの複合機や無線ＬＡＮを搭載した携帯端末等として有用である。また無線ＬＡＮを利用したリモコン等の用途にも応用できる。
【図面の簡単な説明】
【００４６】
【図１】本発明の実施の形態１における携帯端末用無線ＬＡＮ装置のチャネル帯域とキャリアセンス帯域図
【図２】本発明の実施の形態２における携帯端末用無線ＬＡＮ装置のキャリアセンス帯域とキャリアセンスできるチャネル周波数図
【図３】本発明の実施の形態３における携帯端末用無線ＬＡＮ装置の他無線システムと無線ＬＡＮとの複合機のブロック図
【図４】本発明の実施の形態４における携帯端末用無線ＬＡＮ装置の他無線システムとの通信タイミング図
【図５】本発明の実施の形態５における携帯端末用無線ＬＡＮ装置の他無線システムとの通信タイミング図
【図６】本発明の実施の形態６における携帯端末用無線ＬＡＮ装置と他無線システムとの通信フロー図
【図７】本発明の実施の形態７における携帯端末用無線ＬＡＮ装置と他無線システムとの通信フロー図
【図８】本発明の実施の形態８における携帯端末用無線ＬＡＮ装置と他無線システムとの通信フロー図
【図９】従来の携帯端末用無線ＬＡＮ装置の構成図
【符号の説明】
【００４７】
１０１，１１１    無線ＬＡＮのキャリア周波数帯域
１０２，１１２    キャリアの周波数のチャネル
１０３，１１３    キャリアセンスを行う受信機の周波数帯域
４０１    無線ＬＡＮの通信タイミング
４０２    他無線システム報知情報の受信タイミング
６０１    複合端末
６０２    無線ＬＡＮ
６０３    他無線システム
７０４    切り替え時間値
【図１】
2005175568.tif 000004
【図２】
2005175568.tif 000005
【図３】
2005175568.tif 000006
【図４】
2005175568.tif 000007
【図５】
2005175568.tif 000008
【図６】
2005175568.tif 000009
【図７】
2005175568.tif 000010
【図８】
2005175568.tif 000011
【図９】
2005175568.tif 000012